(57)【要約】【課題】地熱を利用するバイナリ発電サイクルにおいて、出力変動が少なく、コンパクトな設備を提供可能とする。【解決手段】実施形態に係る地熱バイナリ発電システム１１は、地熱生産井１２から取り出される蒸気および熱水の二相流を受け入れて二相状態で貯留する混合器１６と、混合器１６からの熱水を熱源として水よりも低沸点の媒体を加熱して媒体を蒸発させる蒸発器１８と、蒸発器１８で放熱した熱水の一部を混合器１６に戻す熱水戻し配管２４と、蒸発器１８で放熱した熱水の一部を混合器１６に戻さずに還元井３１に還元する還元配管３０と、蒸発器１８で加熱されて蒸発した媒体によって駆動されるタービン１３と、タービン１３で仕事をした後の媒体を蒸発器１８に戻す媒体戻し配管２０と、を有する。【選択図】図１
2020002941.tif 000002
【特許請求の範囲】
【請求項１】
地熱生産井から取り出される蒸気および熱水の二相流を取り出す地熱水供給配管と、
前記地熱水供給配管から供給される蒸気および熱水の二相流を受け入れて二相状態で貯留する混合器と、
前記混合器から熱水を取り出す熱水配管と、
前記熱水配管を通じて前記混合器から取り出される熱水を熱源として水よりも低沸点の媒体を加熱して前記媒体を蒸発させる蒸発器と、
前記蒸発器で放熱した前記熱水の一部を前記混合器に戻す熱水戻し配管と、
前記蒸発器で放熱した前記熱水の一部を前記混合器に戻さずに還元井に還元する還元配管と、
前記蒸発器で加熱されて蒸発した媒体によって駆動されるタービンと、
前記タービンによって駆動される発電機と、
前記タービンで仕事をした後の媒体を前記蒸発器に戻す媒体戻し配管と、
を有すること、を特徴とする地熱バイナリ発電システム。
【請求項２】
前記混合器内の水位を計測する水位計と、
前記還元配管に設けられた還元水量調節弁と、
前記水位計で計測された前記混合器内の水位が所定の水位範囲に入るように前記還元水量調節弁の開度を調節する還元水量調節弁制御部と、
をさらに有すること、を特徴とする請求項１に記載の地熱バイナリ発電システム。
【請求項３】
前記混合器内の圧力を計測する圧力計と、
前記地熱水供給配管に設けられた地熱水供給調節弁と、
前記圧力計で計測された前記混合器内の圧力が所定の圧力範囲に入るように前記地熱水供給調節弁の開度を調節する地熱水供給調節弁制御部と、
をさらに有すること、を特徴とする請求項１または請求項２に記載の地熱バイナリ発電システム。
【請求項４】
前記地熱水供給調節弁よりも上流側で前記地熱水供給配管から分岐して前記還元配管に接続された還元配管加熱水配管と、
前記還元配管加熱水配管に設けられた還元配管加熱水弁と、
前記還元配管内の温度を計測する温度計と、
前記温度計で計測された前記還元配管内の温度が所定の温度よりも低下した時に前記還元配管加熱水弁を開くように制御する還元配管加熱水弁制御部と、
をさらに有すること、を特徴とする請求項１ないし請求項３のいずれか一項に記載の地熱バイナリ発電システム。
【請求項５】
前記還元配管加熱水弁制御部は、前記温度計で計測された前記還元配管内の温度が所定の温度範囲に入るように前記還元配管加熱水弁を制御するものであること、を特徴とする請求項４に記載の地熱バイナリ発電システム。
【請求項６】
前記蒸発器で放熱した後の前記熱水の余熱を利用して前記蒸発器に送られる前の前記媒体を予熱する予熱器をさらに有すること、を特徴とする請求項１ないし請求項５のいずれか一項に記載の地熱バイナリ発電システム。
【請求項７】
前記熱水配管に設けられた熱水ポンプをさらに有すること、を特徴とする請求項１ないし請求項６のいずれか一項に記載の地熱バイナリ発電システム。
【請求項８】
前記タービンで仕事をした後の前記媒体を凝縮させる凝縮器と、
前記媒体戻し配管に設けられて、前記凝縮器で凝縮した前記媒体を昇圧して前記蒸発器に送る媒体ポンプと、
をさらに有すること、を特徴とする請求項１ないし請求項７のいずれか一項に記載の地熱バイナリ発電システム。
【請求項９】
地熱生産井から取り出される蒸気および熱水の二相流を取り出す地熱水供給配管と、
前記地熱水供給配管から供給される蒸気および熱水の二相流を受け入れて二相状態で貯留する混合器と、
前記混合器から熱水を取り出す熱水配管と、
前記熱水配管を通じて前記混合器から取り出される熱水を熱源として水よりも低沸点の媒体を加熱して前記媒体を蒸発させる蒸発器と、
前記蒸発器で放熱した前記熱水の一部を前記混合器に戻す熱水戻し配管と、
前記蒸発器で放熱した前記熱水の一部を前記混合器に戻さずに還元井に還元する還元配管と、
前記蒸発器で加熱されて蒸発した媒体によって駆動されるタービンと、
前記タービンによって駆動される発電機と、
前記タービンで仕事をした後の媒体を前記蒸発器に戻す媒体戻し配管と、
前記還元配管に設けられた還元水量調節弁と、
を有する地熱バイナリ発電システムの運転方法であって、
前記混合器内の水位を計測する水位計測ステップと、
前記水位計測ステップで計測される前記混合器内の水位が所定の水位範囲に入るように前記還元水量調節弁の開度を調節する還元水量調節弁開度調節ステップと、
を有すること、を特徴とする地熱バイナリ発電システム運転方法。
【請求項１０】
前記地熱バイナリ発電システムは、前記地熱水供給配管に設けられた地熱水供給調節弁、をさらに有し、
当該方法は、
前記混合器内の圧力を計測する圧力計測ステップと、
前記圧力計測ステップで計測された前記混合器内の圧力が所定の圧力範囲に入るように前記地熱水供給調節弁の開度を調節する地熱水供給調節弁開度調節ステップと、
をさらに有すること、を特徴とする請求項９に記載の地熱バイナリ発電システム運転方法。
【請求項１１】
前記地熱バイナリ発電システムは、
前記地熱水供給調節弁よりも上流側で前記地熱水供給配管から分岐して前記還元配管に接続された還元配管加熱水配管と、
前記還元配管加熱水配管に設けられた還元配管加熱水弁と、
をさらに有し、
当該方法は、
前記還元配管内の温度を計測する温度する還元配管内温度計測ステップと、
前記還元配管内温度計測ステップで計測された前記還元配管内の温度が所定の温度よりも低下した時に前記還元配管加熱水弁を開く還元配管加熱水弁開ステップと、
をさらに有すること、を特徴とする請求項９または請求項１０に記載の地熱バイナリ発電システム運転方法。
【発明の詳細な説明】
【技術分野】
【０００１】
本発明の実施形態は、地熱を熱源とするバイナリ発電サイクルのシステムとその運転方法に関する。
【背景技術】
【０００２】
地熱発電は熱源となる地熱貯留層から蒸気や熱水を取り出し、取り出した熱を利用してタービンを稼動させ電力を得る発電方法である。地熱発電は、熱源の温度により、高温域の熱源の場合に採用される蒸気直接発電方式と、低温域の熱源の場合に採用されるバイナリサイクル方式に大別される。
【０００３】
バイナリサイクル方式はさらに、熱源の性状（熱水単相流か、また、熱水と蒸気の二相流の場合の蒸気乾き度等）により発電サイクルが選定される。
【０００４】
ここで熱源の性状が熱水と蒸気が混じりあう二相流である場合、発生した二相流は汽水分離器により蒸気と熱水に分離され、分離された蒸気を蒸発器で、熱水を予熱器で、それぞれ発電タービンの動力となる低沸点媒体と熱交換を行なわせ、熱交換により蒸発した低沸点媒体をもって発電を行なう方法などが知られている。なお、従来技術において、低沸点媒体との熱交換を終えた低温の熱水は直接還元井へ送られる。
【先行技術文献】
【特許文献】
【０００５】
【特許文献１】特許第５７６３４９５号公報
【特許文献２】特許第５５６３８５４号公報
【発明の概要】
【発明が解決しようとする課題】
【０００６】
二相流を熱源とする公知の技術においては、生産井から発生する二相流の流量および圧力の自然変動に対応できる汽水分離器を設計製作する必要がある。さらに、汽水分離器から発生する蒸発量および圧力は二相流の状態変化によって大きく変動する。すなわち蒸発器に流入する蒸気の流量と圧力が大きく変動することにより、発電出力が安定しない問題がある。また、その変動を許容する機器や配管、計器等の設計製作が求められることから、プラント建設時の機器設備費増加が問題となっている。
【０００７】
また、従来のバイナリ発電サイクルの場合には、熱交換を行った後に地下に還元する熱水の温度が低いために、地熱水中に含まれるシリカの溶解度が下がり、還元井にシリカスケールが発生しやすい。還元井が閉塞するとプラントの停止に直結することから、シリカスケールの問題はバイナリサイクル方式の最も大きなリスクの一つと考えられる。この課題の解決のため、従来技術では、シリカスケールの防止に薬注システムによる熱水のＰＨコントロール等の対応が行なわれており、ゆえにプラントの機器設備費や運転費の増加へとつながっている。
【０００８】
本発明の実施形態は、地熱を利用するバイナリ発電サイクルにおいて、出力変動が少なく、コンパクトな設備を提供可能とすることを目的とする。
【課題を解決するための手段】
【０００９】
上記課題を解決するために、本発明の実施形態に係る地熱バイナリ発電システムは、地熱生産井から取り出される蒸気および熱水の二相流を取り出す地熱水供給配管と、前記地熱水供給配管から供給される蒸気および熱水の二相流を受け入れて二相状態で貯留する混合器と、前記混合器から熱水を取り出す熱水配管と、前記熱水配管を通じて前記混合器から取り出される熱水を熱源として水よりも低沸点の媒体を加熱して前記媒体を蒸発させる蒸発器と、前記蒸発器で放熱した前記熱水の一部を前記混合器に戻す熱水戻し配管と、前記蒸発器で放熱した前記熱水の一部を前記混合器に戻さずに還元井に還元する還元配管と、前記蒸発器で加熱されて蒸発した媒体によって駆動されるタービンと、前記タービンによって駆動される発電機と、前記タービンで仕事をした後の媒体を前記蒸発器に戻す媒体戻し配管と、を有すること、を特徴とする。
【００１０】
本発明の実施形態に係る地熱バイナリ発電システム運転方法は、地熱生産井から取り出される蒸気および熱水の二相流を取り出す地熱水供給配管と、前記地熱水供給配管から供給される蒸気および熱水の二相流を受け入れて二相状態で貯留する混合器と、前記混合器から熱水を取り出す熱水配管と、前記熱水配管を通じて前記混合器から取り出される熱水を熱源として水よりも低沸点の媒体を加熱して前記媒体を蒸発させる蒸発器と、前記蒸発器で放熱した前記熱水の一部を前記混合器に戻す熱水戻し配管と、前記蒸発器で放熱した前記熱水の一部を前記混合器に戻さずに還元井に還元する還元配管と、前記蒸発器で加熱されて蒸発した媒体によって駆動されるタービンと、前記タービンによって駆動される発電機と、前記タービンで仕事をした後の媒体を前記蒸発器に戻す媒体戻し配管と、前記還元配管に設けられた還元水量調節弁と、を有する地熱バイナリ発電システムの運転方法であって、前記混合器内の水位を計測する水位計測ステップと、前記水位計測ステップで計測される前記混合器内の水位が所定の水位範囲に入るように前記還元水量調節弁の開度を調節する還元水量調節弁開度調節ステップと、を有すること、を特徴とする。
【発明の効果】
【００１１】
本発明の実施形態によれば、地熱を利用するバイナリ発電サイクルにおいて、出力変動が少なく、コンパクトな設備を提供可能とすることができる。
【図面の簡単な説明】
【００１２】
【図１】本発明の第１の実施形態に係る地熱バイナリ発電システムの構成を示す系統図である。
【図２】本発明の第２の実施形態に係る地熱バイナリ発電システムの構成を示す系統図である。
【発明を実施するための形態】
【００１３】
以下、本発明に係る地熱バイナリ発電システムおよびその方法の実施形態について、図面を参照して説明する。ここで、互いに同一または類似の部分には共通の符号を付して、重複説明は省略する。
【００１４】
［第１の実施形態］
図１は、本発明の第１の実施形態に係る地熱バイナリ発電システムの構成を示す系統図である。
【００１５】
この地熱バイナリ発電システム１１は、生産井（地熱生産井）１２から、蒸気および熱水からなる二相流を取り出してその熱を低沸点媒体に伝え、その低沸点媒体によってタービン１３を回転させ、それによって発電機１４を回転させるシステムである。なお、図１で、蒸気および熱水の系統の配管を実線で示し、低沸点媒体の系統の配管を破線で示している。また、信号線は二点鎖線で示している。
【００１６】
生産井１２から取り出された蒸気および熱水は、地熱水供給配管１５を通じて混合器１６に供給され、貯留される。地熱水供給配管１５には地熱水供給調節弁４０が配置されている。
【００１７】
混合器１６内に貯留された熱水は、熱水配管１７を通じて蒸発器１８に送られる。熱水配管１７には熱水ポンプ１９が設けられ、熱水配管１７内の熱水が昇圧される。混合器１６内は蒸気および熱水が混合状態にあり、熱水配管１７を通じて混合器１６から取り出される熱水はほぼ飽和水の状態である。
【００１８】
蒸発器１８は、熱水配管１７を通じて供給される熱水を熱源として低沸点媒体を蒸発させる非混合型の熱交換器である。低沸点媒体は、水よりも沸点が低い媒体であって、たとえば、フロンやエチレンである。
【００１９】
蒸発器１８で蒸発した低沸点媒体によってタービン１３が駆動され、タービン１３によって発電機１４が駆動される。
【００２０】
タービン１３で仕事をした後の低沸点媒体は、凝縮器２１で凝縮して液化する。凝縮器２１では、大気や冷却水などによって放熱する。凝縮器２１で凝縮して液化した低沸点媒体は、媒体ポンプ２２で昇圧され予熱器２３へ送られる。予熱器２３は、非混合型の熱交換器であって、蒸発器１８で放熱した後の熱水の熱を低沸点媒体に伝えるものである。予熱器２３で予熱された低沸点媒体は、媒体戻し配管２０を経て蒸発器１８へ送られる。
【００２１】
混合器１６から熱水配管１７を通じて取り出された熱水は、熱水ポンプ１９で昇圧された後に、蒸発器１８および予熱器２３で放熱して比較的低温になる。予熱器２３を出た比較的低温の熱水は、予熱器２３の下流側で分岐して、一部が熱水戻し配管２４を通して混合器１６に戻される。予熱器２３の下流側で分岐した残りの熱水は、還元配管３０を通して還元井３１に戻される。還元配管３０には、還元水量調節弁３２が配置されている。
【００２２】
混合器１６の頂部にはガス放出管５０が接続され、ガス放出管５０にはガス放出弁５１が設置されている。ガス放出管５０の先端は大気に開放されている。ガス放出弁５１は、通常時は閉じているが、混合器１６内上部に腐食性不凝縮ガスなどの不凝縮ガスが溜まった時に開放して、混合器１６内に不凝縮ガスが溜まらないようにする。
【００２３】
混合器１６内の水位を測定するために水位計４５が設置され、混合器１６内の圧力を測定するために圧力計４６が設置されている。
【００２４】
還元水量調節弁３２の開度は、水位計４５によって測定された混合器１６内の水位がほぼ一定となるように、具体的にはその水位が所定の水位範囲内に入るように、還元水量調節弁制御部４７によって制御される。たとえば、混合器１６内の水位が所定の水位範囲よりも低い時は、還元水量調節弁３２の開度を下げて、還元配管３０を流れる熱水の流量を下げ、より多くの熱水を、熱水戻し配管２４を通じて混合器１６内に戻すことにより、混合器１６内の水位が上昇するように制御する。このようにして、生産井１２から供給される二相流の圧力や乾き度（蒸気の質量割合）の変動にかかわらず、混合器１６内の水位をほぼ一定に保つことができる。
【００２５】
地熱水供給調節弁４０の開度は、圧力計４６によって測定された混合器１６内の圧力がほぼ一定となるように、具体的にはその圧力が所定の圧力範囲内に入るように、地熱水供給調節弁制御部４８によって制御される。たとえば、混合器１６内の圧力が所定の圧力範囲よりも低い時は、地熱水供給調節弁４０の開度を上げて、地熱水供給配管１５を通じて混合器１６に供給される蒸気および熱水の流量を増やすことにより、混合器１６内の圧力が上昇するように制御する。
【００２６】
地熱水供給配管１５の地熱水供給調節弁４０よりも上流側からバイパス配管５２が分岐し、バイパス配管５２の先端は還元井３１に導かれている。バイパス配管５２の途中にはバイパス弁５３が設けられている。バイパス弁５３は通常時は閉じているが、生産井１２から地熱水供給配管１５を通じて供給される蒸気および熱水が異常に増加した場合などに、生産井１２から供給される蒸気および熱水の一部または全部を、混合器１６などを通さずに還元井３１に戻すことができる。
【００２７】
この実施形態によれば、地熱水供給調節弁４０の開度を調整することにより、混合器１６内の圧力がほぼ一定に保たれる。その結果、混合器１６内の飽和温度はほぼ一定であり、蒸発器１８に供給される熱水の温度がほぼ一定となる。それにより、生産井１２から供給される二相流の圧力や乾き度の変動にかかわらず、発電機１４の出力をほぼ一定に保つことができる。なお、発電需要の増大に応じて発電機１４の出力を高めるためには、混合器１６内の圧力の設定値を高めて飽和水温度を高めにすることもできる。
【００２８】
この実施形態によれば、生産井１２から供給される二相流の圧力や乾き度の変動にかかわらず、蒸発器１８に供給される熱水の温度や流量を所望の値で安定させることができる。そのため、設計条件の範囲を比較的狭い範囲に限定した機器や配管、計器などの設計、製作、選定を行うことが可能となる。これにより、プラント建設時の機器設備費を低減することができる。また、発電出力が安定することから、電力系統の品質向上に寄与し、電力系統を安定化させるための設備コスト削減にも寄与する。
【００２９】
また、ガス放出管５０を通じて不凝縮ガスを排出することができるので、生産井１２から供給される蒸気に含まれる硫化水素や二酸化炭素などの腐食性不凝縮ガスを取り除くことができる。そして、熱水が、循環するライン、すなわち、混合器１６から、熱水配管１７、熱水ポンプ１９、蒸発器１８、予熱器２３、熱水戻し配管２４を通って混合器１６に戻る経路の各機器や配管で、硫化水素や二酸化炭素などの腐食性不凝縮ガスへの対応が不要であり、そのため、建設コストを削減することができる。
【００３０】
なお、図１に示す例では、蒸発器１８と予熱器２３とを別個に設けるものとしたが、変形例として、蒸発器１８と予熱器２３とを一体化した構成とすることもできる。その場合は、たとえば、蒸発器１８と予熱器２３とを一体化したものを蒸発器と呼ぶこともできる。
【００３１】
また、上記説明では、還元水量調節弁制御部４７が、水位計４５の出力に応じて還元水量調節弁３２の開度を自動的に調整するものとしたが、変形例として、作業員が、水位計４５の出力の表示を見ながら還元水量調節弁３２の開度を手動で調整することもできる。
【００３２】
同様に、上記説明では、地熱水供給調節弁制御部４８が、圧力計４６の出力に応じて地熱水供給調節弁４０の開度を自動的に調整するものとしたが、変形例として、作業員が、圧力計４６の出力の表示を見ながら地熱水供給調節弁４０の開度を手動で調整することもできる。
【００３３】
［第２の実施形態］
図２は、本発明の第２の実施形態に係る地熱バイナリ発電システムの構成を示す系統図である。
【００３４】
この第２の実施形態は第１の実施形態の変形であって、還元配管３０を通って還元井３１に戻される還元水の温度が低い場合に還元井にシリカスケールが発生するのを防ぐために、還元配管加熱水配管６０が設けられている。還元配管加熱水配管６０は、地熱水供給配管１５の途中の地熱水供給調節弁４０よりも上流側から分岐して還元配管３０に接続される。還元配管加熱水配管６０には、還元配管加熱水弁６１が設けられている。また、還元配管３０内の還元水の温度を測定する温度計６２が設置されている。さらに、温度計６２の出力に応じて還元配管加熱水弁６１を制御する還元配管加熱水弁制御部６３が設けられている。
【００３５】
その他の構成は第１の実施形態と同様である。
【００３６】
温度計６２で検出された還元配管３０内の還元水の温度が所定の範囲よりも低下したとき、還元配管加熱水弁制御部６３が還元配管加熱水弁６１を開く。これにより、地熱水供給配管１５を流れる蒸気および熱水の一部が加熱水配管６０を通じて還元配管３０内に流れ込む。これにより、還元配管３０内の還元水の温度が上昇する。それにより、還元井３１にシリカスケールが発生するのを防ぐことができる。
【００３７】
この第２の実施形態によれば、第１の実施形態と同様の効果を得ることができるだけでなく、シリカスケールを防ぐための薬剤注入や定期的な洗浄などの対策が不要であり、シリカスケールに起因するプラント停止を避けることができる。
【００３８】
ここで、地熱水供給配管１５内を流れる蒸気および熱水の一部を、加熱水配管６０を通じて還元配管３０内に流すことは、地熱エネルギーの損失になる。そのため、加熱水配管６０を流れる蒸気および熱水の流量は、還元井３１でのシリカスケールを防ぐための最小限にすることが望ましい。そのためには、温度計６２で検出される温度が適当な温度範囲に入るように還元配管加熱水弁６１を制御するのが好ましい。
【００３９】
なお、還元配管加熱水弁６１は、流量調整弁でもよいし、流量調整を行わない開閉弁でもよい。
【００４０】
また、還元配管加熱水弁６１を還元配管加熱水弁制御部６３によって自動で行う方法に代えて、操作員が温度計６２の出力の表示を見て還元配管加熱水弁６１を手動で操作してもよい。
【００４１】
［他の実施形態］
上記第１および第２の実施形態の説明では、還元水量調節弁制御部４７、地熱水供給調節弁制御部４８および還元配管加熱水弁制御部６３は別個に設けるものとしたが、ハードウェアとしては、これらの制御部をまとめて、１個の制御装置の各機能として組み込んでもよい。
【００４２】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれると同様に、特許請求の範囲に記載された発明とその均等の範囲に含まれるものである。
【符号の説明】
【００４３】
１１…地熱バイナリ発電システム、  １２…生産井（地熱生産井）、  １３…タービン、  １４…発電機、  １５…地熱水供給配管、  １６…混合器、  １７…熱水配管、  １８…蒸発器、  １９…熱水ポンプ、  ２０…媒体戻し配管、  ２１…凝縮器、  ２２…媒体ポンプ、  ２３…予熱器、  ２４…熱水戻し配管、  ３０…還元配管、  ３１…還元井、  ３２…還元水量調節弁、  ４０…地熱水供給調節弁、  ４５…水位計、  ４６…圧力計、  ４７…還元水量調節弁制御部、  ４８…地熱水供給調節弁制御部、  ５０…ガス放出管、  ５１…ガス放出弁、  ５２…バイパス配管、  ５３…バイパス弁、  ６０…還元配管加熱水配管、  ６１…還元配管加熱水弁、  ６２…温度計、  ６３…還元配管加熱水弁制御部
【図１】
2020002941.tif 000003
【図２】
2020002941.tif 000004